(57)【要約】      （修正有）【課題】切り弧度を増やす新しい高枝切鋏の改良構造である。【解決手段】高枝切鋏Ａには延伸支筒１０、固定鋏２０、回転刃３０、制御部材４０および掴み部５０を含まれ、回転刃３０の刃部３１の動作は下向き回転する開き状態および上向き回転する切り状態があり、そして、刃部３１が上向き回転する切り状態の時には固定鋏２０の可動部２２と接触し、また、掴み部５０にはオーバーツカミ５１とアンダーツカミ５２を含まれ、それぞれ固定鋏２０の可動部２２と回転刃３０の刃部３１に設けられており、その特徴は回転刃３０の刃部３１が下向き回転する開き状態の時、刃部３１の下向き延伸方向と延伸支筒１０の設置軸線の間に外向き開くアングルを形成させ、それによって、刃部３１と固定鋏２０の可動部２２の間で形成される最大切り口の幅を増やし、また、相対して切り弧度を増やしていくのである。【選択図】図１
0003203517.tif 000002
【実用新案登録請求の範囲】
【請求項１】
高枝切鋏の改良構造であって、
高枝切鋏（Ａ）には延伸支筒（１０）、固定鋏（２０）、回転刃（３０）、制御部材（４０）および掴み部（５０）が含まれ、且つ固定部（２１）および曲がり形態の可動部（２２）を含む固定鋏２０は延伸支筒（１０）の末端に固定され、また、固定鋏（２０）の片側に回転可動な状態になるように軸部（３３）を利用した回転刃（３０）が設けられており、そして、回転刃（３０）には刃部（３１）と連動部（３２）が設けられており、刃部（３１）には下向き回転する開き状態および上向き回転する切り状態の動作があり、刃部（３１）が上向き回転する切り状態になる時には固定鋏（２０）の可動部（２２）と接触し、切る作用を達するのであり、連動部（３２）は刃部（３１）の離れる方向に向けて突出延伸形態になり、なお、制御部材（４０）は連結によって回転刃（３０）の連動部（３２）を連動させており、掴み部（５０）にはオーバーツカミ（５１）とアンダーツカミ（５２）が含まれ、オーバーツカミ（５１）とアンダーツカミ（５２）が相対して掴み状態になるように、オーバーツカミ（５１）は固定鋏（２０）の可動部（２２）の片側に設けられ、アンダーツカミ（５２）は回転刃（３０）の刃部（３１）の片側に設けられており、且つ回転刃（３０）の刃部（３１）が下向き回転する開き状態になる時、刃部（３１）と固定鋏（２０）の可動部（２２）との間で形成した最大切り口の幅を増やすため、刃部（３１）の下向き延伸方向と延伸支筒（１０）の設置軸線の間に外向き開くアングルがあることを特徴とする高枝切鋏の改良構造。
【請求項２】
前記刃部（３１）の下向き延伸方向と延伸支筒（１０）の設置軸線の間に外向き開くアングルが１０°から２０°の間であることを特徴とする請求項１に記載の高枝切鋏の改良構造。
【請求項３】
前記刃部（３１）の下向き延伸方向と延伸支筒（１０）の設置軸線の間に外向き開くアングルは１５°がベストであることを特徴とする請求項１に記載の高枝切鋏の改良構造。
【請求項４】
前記制御部材（４０）は引っ張り部（４１）と引っ張り連動部（４２）を含むラッソ形態であり、引っ張り部（４１）は連結によって回転刃（３０）の連動部（３２）を連動させ、引っ張り連動部（４２）は延伸支筒（１０）の方向に沿って下向き方向に延伸し、ユーザーに引っ張り制御を提供し、また、制御部材（４０）の引っ張り部（４１）の末端を延伸支筒（１０）の末端あるいは固定鋏（２０）の固定部（２１）の片側に固定するため、回転刃（３０）の連動部（３２）の末端にはローラー（３４）が設けられており、制御部材（４０）の引っ張り連動部（４２）がローラー（３４）に通ってから下に垂らし、また、回転刃（３０）の連動部（３２）と固定鋏（２０）の頂端の間に復帰バネ（６０）が設けられており、回転刃（３０）の刃部（３１）に下向き回転する開き状態の弾力復帰性を持たせることを特徴とする請求項２或いは３に記載の高枝切鋏の改良構造。
【考案の詳細な説明】
【技術分野】
【０００１】
この考案は高枝切鋏に係り、特に切り弧度を増やす新しい構造形態に関する。
【背景技術】
【０００２】
伝統的な高枝切りは枝切り動作を完了した後、枝が直接地面に落ちるため、果物（ライチ、竜眼、マンゴーなど）の採集に適用しない問題点があり、それを対応するため、業界が高枝切鋏の構造形態を研究開発していた。
【０００３】
前記高枝切鋏の構造は伝統的な高枝切りと違うところが固定鋏の可動部の片側にオーバーツカミが設けられ、また、回転刃の刃部の片側にアンダーツカミが設けられ、なお、このような構造で、回転刃の刃部が上向き回転して固定鋏の可動部と接触し、切る作用を達すると同時にオーバーツカミとアンダーツカミが掴む状態になり、それによって果物の採集に必要とする掴む機能を持ちながら、果物を高所から落とされることを防止する機能と利点を持つのである。
【０００４】
しかしながら、前記高枝切鋏の構造は広く使用した経験でまだ欠点があることを見つかり、例えば周知高枝切鋏の回転刃が開き状態の時、最大でも垂直角度の状態までしか開けなく、即ち高枝切鋏の延伸支筒の軸方向と一致した状態になるため、回転刃と固定鋏の可動部の間に開ける最大開き口の幅が限られており、従って切る弧度も限られる問題点と欠点があり、実に改善する必要がある。
【０００５】
前記周知する高枝切鋏の構造に存在する問題点に対し、どのようにそれを改善するための新しい構造開発が、実に関連業者達が努力し、研究開発して行きたい目標および方向である。
【０００６】
そのため、考案者が多年この関連業界で関連製品の開発や設計を経験し、上述した目標に対し、詳しく設計や評価した後、本考案を提出するのである。
【考案の概要】
【考案が解決しようとする課題】
【０００７】
この考案の目的は確実に実用性のある新たな高枝切鋏構造であり、且つ新たな高枝切鋏の改良構造を提供することである。
【課題を解決するための手段】
【０００８】
上記課題を解決するためになされた高枝切鋏構造は、延伸支筒、固定鋏、回転刃、制御部材および掴み部を含み、且つ固定部および曲がり形態の可動部を含む固定鋏には延伸支筒の末端が固定され、また、固定鋏の片側に回転可動な状態になるように刃部と連動部が含まれる回転刃を設けており、そして、刃部の動作は下向き回転する開き状態および上向き回転する切り状態の動作があり刃部が上向き回転する切り状態になる時には固定鋏の可動部と接触し、連動部には刃部の離れる方向に向けて突出延伸形態になり、なお、制御部材は連結によって回転刃の連動部を連動させており、掴み部にはオーバーツカミとアンダーツカミが含まれ、オーバーツカミとアンダーツカミが相対して掴み状態になるように、オーバーツカミには固定鋏の可動部の片側に設けられ、アンダーツカミには回転刃の刃部の片側に設けられており、且つ回転刃の刃部が下向き回転する開き状態になる時、刃部の下向き延伸方向と延伸支筒の設置軸線の間に外向き開くアングルがあることを特徴とする高枝切鋏の改良構造であることを要旨としている。
【０００９】
この考案は従来の技術と比べ、刃部と固定鋏の可動部の間で形成される最大切り口の幅を増やし、それによって切り弧度を増やすなど実用進歩性ある効果を達するのである。
【考案の効果】
【００１０】
この考案の「高枝切鋏の改良構造」には、前記回転刃の刃部が下向き回転する開き状態の時によって、刃部の下向き延伸方向と延伸支筒１０の設置軸線の間に外向き開くアングルを形成させる新しいオリジナルな構造形態と技術特徴で、従来技術での周知構造と比べ、刃部と固定鋏の可動部との間で形成した最大切り口の幅を増やし、更に切り弧度を増やしていくことを利用できる実用進歩性のある高枝切鋏構造である。
【図面の簡単な説明】
【００１１】
【図１】本考案の高枝切鋏構造のより良い実施例の立体図である。
【図２】本考案の高枝切鋏構造のより良い実施例の他視点からの立体図である。
【図３】本考案の高枝切鋏構造のより良い実施例の平面横見図である。
【図４】本考案の高枝切鋏でカットする動作のイメージ図１である。
【図５】本考案の高枝切鋏でカットする動作のイメージ図２である。
【図６】本考案の高枝切鋏の制御部材形態のもう一つの実施例のイメージ図である。
【考案を実施するための形態】
【００１２】
まず、図１〜図３を参照する。この考案の高枝切鋏の改良構造についてのより良い実施形態の一例で、具体的に本考案を説明するために用いられる内容であり、実用新案登録請求の範囲を制限してはならないのである。前述した高枝切鋏Ａには延伸支筒１０、固定鋏２０、回転刃３０、制御部材４０および掴み部５０が含まれ、且つ固定部２１および曲がり形態の可動部２２を含む固定鋏２０には延伸支筒１０の末端が固定され、また、固定鋏２０の片側に回転可動な状態になるように軸部３３を利用した回転刃３０を設けており、そして、回転刃３０には刃部３１と連動部３２が設けられており、刃部３１には下向き回転する開き状態（図３と図４に参照する）および上向き回転する切り状態（図５に参照する）の動作があり、刃部３１が上向き回転する切り状態になる時には固定鋏２０の可動部２２と接触し、切る作用を達するのであり、連動部３２には刃部３１の離れる方向に向けて突出延伸形態になり、なお、制御部材４０は連結によって回転刃３０の連動部３２を連動させており、掴み部５０にはオーバーツカミ５１とアンダーツカミ５２が含まれ、オーバーツカミ５１とアンダーツカミ５２が相対して掴み状態になるように、オーバーツカミ５１には固定鋏２０の可動部２２の片側に設けられ、アンダーツカミ５２には回転刃３０の刃部３１の片側に設けられており、且つ図３に示すように、回転刃３０の刃部３１が下向き回転する開き状態になる時、刃部３１の下向き延伸方向（Ｌ１に参照する）と延伸支筒１０の設置軸線（Ｌ２に参照する）の間に外向き開くアングル（Ｘに参照する）があり、それによって刃部３１と固定鋏２０の可動部２２との間で形成した最大切り口の幅（Ｗに参照する）を増やし、相対的に切り弧度を増やしていくのである。
【００１３】
前記刃部３１の下向き延伸方向と延伸支筒１０の設置軸線の間に形成した外向き開くアングル（図Ｘに参照する）が１０°から２０°の間にある。
【００１４】
前記刃部３１の下向き延伸方向と延伸支筒１０の設置軸線の間に形成した外向き開くアングル（図Ｘに参照する）は１５°がベストのである。
【００１５】
図１〜図３を参照する。制御部材４０には引っ張り部４１と引っ張り連動部４２を含むラッソ形態であり、引っ張り部４１は連結によって回転刃３０の連動部３２を連動させ、引っ張り連動部４２には延伸支筒１０の方向に沿って下向き方向に延伸させ、ユーザーに引っ張り制御を提供し、また、制御部材４０の引っ張り部４１の末端を延伸支筒１０の末端あるいは固定鋏２０の固定部２１の片側に固定するため、回転刃３０の連動部３２の末端にはローラー３４が設けられており、制御部材４０の引っ張り連動部４２がローラー３４に通ってから下に垂らし、また、回転刃３０の連動部３２と固定鋏２０の頂端の間に復帰バネ６０が設けられており、回転刃３０の刃部３１に下向き回転する開き状態の弾力復帰性を持たせる。
【００１６】
前記構造の構成で、この考案の高枝切鋏Ａの核心設計は図３に示すように、回転刃３０の刃部３１が下向き回転する開き状態になる時、刃部３１の下向き延伸方向（Ｌ１に参照する）と延伸支筒１０の設置軸線（Ｌ２に参照する）の間に外向き開くアングル（Ｘに参照する）の技術特徴があり、それによって刃部３１と固定鋏２０の可動部２２との間で形成した最大切り口の幅を増やし、更に切り弧度を増やしていく効果がある。本考案の高枝切鋏Ａのより良い実施形態は図４に示すように、ユーザーが枝７０を切る時、回転刃３０の刃部３１が下向き回転する開き状態で枝７０を挟み、そして図５に示すように、制御部材４０の引っ張り連動部４２を下に引っ張り、この時、回転刃３０の刃部３１が軸部３３を支点として上に向けて回転してから固定鋏２０の可動部２２と接触して枝７０を切断し、また、枝７０が切断される時、掴み部５０のオーバーツカミ５１とアンダーツカミ５２が切断された枝７０をすぐに落とさないように挟み付き、なお、ユーザーが制御部材４０の引っ張り連動部４２の下に引っ張る力を弛めてから、回転刃３０の刃部３１が復帰バネ６０の弾力より下向き回転する開き状態まで引っ張り戻させ、オーバーツカミ５１とアンダーツカミ５２も挟む状態を解除し、そして前記切断された枝７０を放すのである。
【００１７】
図６を参照する。制御部材４０Ｂ形態のもう一つ実施例であり、本例では制御部材４０Ｂは長い金属棒あるいは長い金属板で構成され、その上端は回転刃３０の連動部３２に連結し、下端には下へ延伸支筒１０の下端にある予備設置したライン歯部８０まで伸ばし、そのライン歯部８０が同じく延伸支筒１０の下端に設置したアーク歯部８１のレバー８２と噛み合い連動することができる制御部材４０Ｂのもう一つ実施形態である。
【００１８】
上述した実施例に掲示されたのは、具体的に本考案を説明するために用いられる内容であり、文の中で専門用語で説明してきたが、それらを以って、本考案の実用新案登録請求の範囲を制限してはならず、当該技術の分かる者が、本考案の考えやコンセプトを理解したうえ、それらの変更や改造を行って、それと同等な効果を得たとしても、それらの変更や改造は全て、後述の実用新案登録請求の範囲に含まれるものとする。
【符号の説明】
【００１９】
Ａ    高枝切鋏
１０    延伸支筒
２０    固定鋏
２１    固定部
２２    可動部
３０    回転刃
３１    刃部
３２    連動部
３３    軸部
３４    ローラー
４０、４０Ｂ    制御部材
４１    引っ張り部
４２    引っ張り連動部
５０    掴み部
５１    オーバーツカミ
５２    アンダーツカミ
６０    復帰バネ
７０    枝
８０    ライン歯部
８１    アーク歯部
８２    レバー
【図１】
0003203517.tif 000003
【図２】
0003203517.tif 000004
【図３】
0003203517.tif 000005
【図４】
0003203517.tif 000006
【図５】
0003203517.tif 000007
【図６】
0003203517.tif 000008
【手続補正書】
【提出日】平成28年2月4日(2016.2.4)
【手続補正１】
【補正対象書類名】実用新案登録請求の範囲
【補正対象項目名】全文
【補正方法】変更
【補正の内容】
【実用新案登録請求の範囲】
【請求項１】
高枝切鋏であって、
高枝切鋏（Ａ）には延伸支筒（１０）、固定鋏（２０）、回転刃（３０）、制御部材（４０）および掴み部（５０）が含まれ、且つ固定部（２１）および曲がり形態の可動部（２２）を含む固定鋏２０は延伸支筒（１０）の末端に固定され、また、固定鋏（２０）の片側に回転可動な状態になるように軸部（３３）を利用した回転刃（３０）が設けられており、そして、回転刃（３０）には刃部（３１）と連動部（３２）が設けられており、刃部（３１）には下向き回転する開き状態および上向き回転する切り状態の動作があり、刃部（３１）が上向き回転する切り状態になる時には固定鋏（２０）の可動部（２２）と接触し、切る作用を達するのであり、連動部（３２）は刃部（３１）の離れる方向に向けて突出延伸形態になり、なお、制御部材（４０）は連結によって回転刃（３０）の連動部（３２）を連動させており、掴み部（５０）にはオーバーツカミ（５１）とアンダーツカミ（５２）が含まれ、オーバーツカミ（５１）とアンダーツカミ（５２）が相対して掴み状態になるように、オーバーツカミ（５１）は固定鋏（２０）の可動部（２２）の片側に設けられ、アンダーツカミ（５２）は回転刃（３０）の刃部（３１）の片側に設けられており、且つ回転刃（３０）の刃部（３１）が下向き回転する開き状態になる時、刃部（３１）と固定鋏（２０）の可動部（２２）との間で形成した最大切り口の幅を増やすため、刃部（３１）の下向き延伸方向と延伸支筒（１０）の設置軸線の間に外向き開くアングルがあることを特徴とする高枝切鋏。
【請求項２】
前記刃部（３１）の下向き延伸方向と延伸支筒（１０）の設置軸線の間に外向き開くアングルが１０°から２０°の間であることを特徴とする請求項１に記載の高枝切鋏。
【請求項３】
前記刃部（３１）の下向き延伸方向と延伸支筒（１０）の設置軸線の間に外向き開くアングルは１５°がベストであることを特徴とする請求項１に記載の高枝切鋏。
【請求項４】
前記制御部材（４０）は引っ張り部（４１）と引っ張り連動部（４２）を含むラッソ形態であり、引っ張り部（４１）は連結によって回転刃（３０）の連動部（３２）を連動させ、引っ張り連動部（４２）は延伸支筒（１０）の方向に沿って下向き方向に延伸し、ユーザーに引っ張り制御を提供し、また、制御部材（４０）の引っ張り部（４１）の末端を延伸支筒（１０）の末端あるいは固定鋏（２０）の固定部（２１）の片側に固定するため、回転刃（３０）の連動部（３２）の末端にはローラー（３４）が設けられており、制御部材（４０）の引っ張り連動部（４２）がローラー（３４）に通ってから下に垂らし、また、回転刃（３０）の連動部（３２）と固定鋏（２０）の頂端の間に復帰バネ（６０）が設けられており、回転刃（３０）の刃部（３１）に下向き回転する開き状態の弾力復帰性を持たせることを特徴とする請求項２或いは３に記載の高枝切鋏。